【手続補正書】
【提出日】平成25年9月24日(2013.9.24)
【手続補正１】
【補正対象書類名】特許請求の範囲
【補正対象項目名】全文
【補正方法】変更
【補正の内容】
【特許請求の範囲】
【請求項１】
被験体由来の試料中のＥｐ−ＩＣＤの検出されたレベルと第１の標準との間の比較を、該被験体における甲状腺癌の指標とするための方法であって：該方法は、
該被験体由来の該試料中のＥｐ−ＩＣＤのレベルを検出する工程；および
Ｅｐ−ＩＣＤの該検出されたレベルを該第１の標準と比較する工程を含み、ここでは、
ｉ）該第１の標準が非癌性甲状腺試料中のＥｐ−ＩＣＤのレベルである場合、Ｅｐ−ＩＣＤの検出されたレベルがより高いことは、甲状腺癌を示し、Ｅｐ−ＩＣＤの検出されたレベルが等しいかもしくはより低いことは、甲状腺癌が存在しないことを示す；または
ｉｉ）該第１の標準が、癌性甲状腺試料中のＥｐ−ＩＣＤのレベルである場合、Ｅｐ−ＩＣＤの検出されたレベルが等しいかもしくはより高いことは、甲状腺癌を示し、そしてＥｐ−ＩＣＤの検出されたレベルがより低いことは、甲状腺癌が存在しないことを示す、方法。
【請求項２】
前記被験体由来の前記試料中で検出された前記Ｅｐ−ＩＣＤが核Ｅｐ−ＩＣＤおよび／または細胞質Ｅｐ−ＩＣＤ、好ましくは核Ｅｐ−ＩＣＤを含む、請求項１に記載の方法。
【請求項３】
請求項１または２に記載の方法であって、
前記被験体由来の前記試料中のＥｐＥｘのレベルを検出する工程；および
ＥｐＥｘの該検出されたレベルを第２の標準と比較する工程
をさらに含み、ここで、
ｉ）該第２の標準が非癌性甲状腺試料中のＥｐＥｘのレベルである場合、ＥｐＥｘの検出されたレベルがより低いことは、甲状腺癌を示し、そしてＥｐＥｘの検出されたレベルが等しいかもしくはより高いことは、甲状腺癌が存在しないことを示す；または
ｉｉ）該第２の標準が、癌性甲状腺試料中のＥｐＥｘのレベルである場合、ＥｐＥｘの検出されたレベルが等しいかまたはより低いことは、甲状腺癌を示し、そしてＥｐＥｘの検出されたレベルがより高いことは、甲状腺癌が存在しないことを示す、方法。
【請求項４】
前記被験体由来の前記試料中で検出される前記ＥｐＥｘが、膜ＥｐＥｘを含む、請求項３に記載の方法。
【請求項５】
請求項３または４に記載の方法であって、ここで：
ｉ）前記第１の標準および第２の標準が、非癌性甲状腺試料である場合、該第１の標準および該第２の標準中のＥｐ−ＩＣＤ：ＥｐＥｘの比と比較してＥｐ−ＩＣＤ：ＥｐＥｘの検出された比がより高いことは、甲状腺癌を示し、そして該第１の標準および該第２の標準中のＥｐ−ＩＣＤ：ＥｐＥｘの比と比較してＥｐ−ＩＣＤ：ＥｐＥｘの検出された比が等しいかもしくはより低いことは、甲状腺癌が存在しないことを示す；または
ｉｉ）前記第１の標準および第２の標準が、癌性甲状腺試料である場合、該第１の標準および該第２の標準中のＥｐ−ＩＣＤ：ＥｐＥｘの比と比較してＥｐ−ＩＣＤ：ＥｐＥｘの検出された比が等しいかもしくはより高いことは、甲状腺癌を示し、そして該第１の標準および該第２の標準中のＥｐ−ＩＣＤ：ＥｐＥｘの比と比較した、Ｅｐ−ＩＣＤ：ＥｐＥｘの検出された比がより低いことは、甲状腺癌が存在しないことを示す、方法。
【請求項６】
被験体由来の試料中のＥｐ−ＩＣＤの検出されたレベルと第１の標準との間の比較を、該被験体における浸潤性または非浸潤性の甲状腺癌の指標とするための方法であって：該方法は、
該被験体由来の該試料中のＥｐ−ＩＣＤのレベルを検出する工程；および
Ｅｐ−ＩＣＤの該検出されたレベルを該第１の標準と比較する工程を含み、ここでは、
ｉ）該第１の標準が非浸潤性甲状腺癌試料中のＥｐ−ＩＣＤのレベルである場合、該被験体由来の該試料中のＥｐ−ＩＣＤの検出されたレベルがより高いことは、甲状腺癌の指標であり、該被験体由来の該試料中のＥｐ−ＩＣＤの検出されたレベルが等しいかもしくはより低いことは、非浸潤性甲状腺癌の指標である；または
ｉｉ）該第１の標準が、癌性甲状腺癌試料中のＥｐ−ＩＣＤのレベルである場合、該被験体由来の該試料中のＥｐ−ＩＣＤの検出されたレベルが等しいかもしくはより高いことは、甲状腺癌の指標であり、そして該被験体由来の該試料中のＥｐ−ＩＣＤのより低い検出されたレベルは、非浸潤性甲状腺癌の指標である、方法。
【請求項７】
前記被験体由来の前記試料中で検出された前記Ｅｐ−ＩＣＤが核Ｅｐ−ＩＣＤおよび／または細胞質Ｅｐ−ＩＣＤ、好ましくは核Ｅｐ−ＩＣＤを含む、請求項６に記載の方法。
【請求項８】
請求項６または７に記載の方法であって、
前記被験体由来の前記試料中のＥｐＥｘのレベルを検出する工程；および
ＥｐＥｘの該検出されたレベルを第２の標準と比較する工程
をさらに含み、ここで、
ｉ）該第２の標準が非浸潤性甲状腺癌試料中のＥｐＥｘのレベルである場合、該被験体由来の該試料中のＥｐＥｘの検出されたレベルがより低いことは、浸潤性甲状腺癌の指標であり、そして該被験体由来の該試料中のＥｐＥｘの検出されたレベルが等しいかもしくはより高いことは、非浸潤性甲状腺癌の指標である；または
ｉｉ）該第２の標準が、浸潤性甲状腺癌試料中のＥｐＥｘのレベルである場合、該被験体由来の該試料中のＥｐＥｘの検出されたレベルが等しいかもしくはより低いことは、浸潤性甲状腺癌の指標であり、そして該被験体由来の該試料中のＥｐＥｘの検出されたレベルがより高いことは、非浸潤性甲状腺癌の指標である、方法。
【請求項９】
前記被験体由来の前記試料中で検出されるＥｐＥｘが、膜ＥｐＥｘを含む、請求項８に記載の方法。
【請求項１０】
請求項８または９に記載の方法であって、ここで：
ｉ）前記第１の標準および第２の標準が、非浸潤性甲状腺癌試料である場合、該第１の標準および該第２の標準中のＥｐ−ＩＣＤ：ＥｐＥｘの比と比較してＥｐ−ＩＣＤ：ＥｐＥｘの検出された比がより高いことは、浸潤性甲状腺癌を示し、そして該第１の標準および該第２の標準中のＥｐ−ＩＣＤ：ＥｐＥｘの比と比較してＥｐ−ＩＣＤ：ＥｐＥｘの検出された比が等しいかもしくはより低いことは、非浸潤性甲状腺癌を示す；または
ｉｉ）前記第１の標準および第２の標準が、浸潤性甲状腺癌試料である場合、該第１の標準および該第２の標準中のＥｐ−ＩＣＤ：ＥｐＥｘの比と比較してＥｐ−ＩＣＤ：ＥｐＥｘの検出された比が等しいかもしくはより高いことは、浸潤性甲状腺癌を示し、そして該第１の標準および該第２の標準中のＥｐ−ＩＣＤ：ＥｐＥｘの比と比較してＥｐ−ＩＣＤ：ＥｐＥｘの検出された比がより低いことは、非浸潤性甲状腺癌を示す、方法。
【請求項１１】
第１の時点で被験体から得られた試料中のＥｐ−ＩＣＤの検出された第１のレベルと次の時点で該被験体から得られた試料中のＥｐ−ＩＣＤの検出された第２のレベルとの間の比較を、被験体における甲状腺癌の進行または後退の指標とするための方法であって：該方法は、
（ａ）第１の時点で該被験体から得た該試料中でのＥｐ−ＩＣＤの該第１のレベルを検出する工程；
（ｂ）次の時点での該被験体から得た該試料中でのＥｐ−ＩＣＤの該第２のレベルを検出する工程；および
（ｃ）工程（ａ）で検出されたレベルと工程（ｂ）で検出されたレベルとを比較する工程を含み、ここでは、Ｅｐ−ＩＣＤの検出された該第２のレベルが該第１のレベルと比較してより高いことは、甲状腺癌の進行の指標であり、そしてＥｐ−ＩＣＤの検出された該第２のレベルが該第１のレベルと比較してより低いことは、後退した甲状腺癌の指標である、方法。
【請求項１２】
前記被験体由来の前記試料中で検出された前記Ｅｐ−ＩＣＤが核Ｅｐ−ＩＣＤおよび／または細胞質Ｅｐ−ＩＣＤ、好ましくは核Ｅｐ−ＩＣＤを含む、請求項１１に記載の方法。
【請求項１３】
請求項１１または１２に記載の方法であって、
（ａ）前記第１の時点で前記被験体から得た前記試料中のＥｐＥｘの第１のレベルを検出する工程；
（ｂ）前記第２の時点で該被験体から得た該試料中のＥｐＥｘの第２のレベルを検出する工程；および
（ｃ）工程（ａ）で検出されたレベルと工程（ｂ）で検出されたレベルとを比較する工程をさらに含み、ここで、
ＥｐＥｘの検出された第２のレベルが該第１のレベルと比較してより低いことは、甲状腺癌の進行の指標であり、そしてＥｐＥｘの検出された第２のレベルが該第１のレベルと比較してより高いことは、後退した甲状腺癌の指標である、方法。
【請求項１４】
前記被験体由来の前記試料中で検出されるＥｐＥｘが、膜ＥｐＥｘを含む、請求項１３に記載の方法。
【請求項１５】
請求項１３または１４に記載の方法であって、ここで：
ｉ）該第１の試料中のＥｐ−ＩＣＤ：ＥｐＥｘの比と比較して該第２の試料中のＥｐ−ＩＣＤ：ＥｐＥｘの検出された比がより高いことは、甲状腺癌の進行を示し、そして該第２の試料中のＥｐ−ＩＣＤ：ＥｐＥｘの比と比較して該第１の試料中のＥｐ−ＩＣＤ：ＥｐＥｘの検出された比がより低いことは、甲状腺癌の後退を示す；および
ｉｉ）該第１の試料中のＥｐ−ＩＣＤ：ＥｐＥｘの比と比較して該第２の試料中のＥｐ−ＩＣＤ：ＥｐＥｘの検出された比が等しいかまたはより高いことは、悪化している甲状腺癌を示し、そして該第２の試料中のＥｐ−ＩＣＤ：ＥｐＥｘの比と比較して該第１の試料中のＥｐ−ＩＣＤ：ＥｐＥｘの検出された比がより低いことは、甲状腺癌の後退を示す、方法。
【請求項１６】
前記Ｅｐ−ＩＣＤおよびＥｐＥｘが同じ試料中で検出される、請求項３、４、５、８、９または１０に記載の方法。
【請求項１７】
前記検出する工程が、免疫アッセイにより達成される、請求項１〜１６のいずれか１項に記載の方法。
【請求項１８】
請求項１、２、６、７、１１または１２のいずれか１項に記載の方法に従って甲状腺癌を診断および／またはモニタリングするためのキットであって、該キットは：
Ｅｐ−ＩＣＤに結合する結合剤；および
該方法を実行するための試薬、容器および説明書のうちの１つ以上
を含む、キット。
【請求項１９】
前記Ｅｐ−ＩＣＤに結合する結合剤が、核Ｅｐ−ＩＣＤおよび／または細胞質Ｅｐ−ＩＣＤ、好ましくは核Ｅｐ−ＩＣＤに結合する、請求項１８に記載のキット。
【請求項２０】
ＥｐＥｘに結合する結合剤をさらに含む、請求項３〜５、８〜１０または１３〜１７のいずれか１項に記載の方法においてさらに使用するための、請求項１８または１９に記載のキット。
【請求項２１】
ＥｐＥｘに結合する結合剤が膜ＥｐＥｘに結合する、請求項２０に記載のキット。
【請求項２２】
前記癌が浸潤性甲状腺癌または非浸潤性甲状腺癌である、請求項２０および２１に記載のキット。
【手続補正２】
【補正対象書類名】明細書
【補正対象項目名】００７６
【補正方法】変更
【補正の内容】
【００７６】
本発明は、本発明の薬学的組成物を被験体に投与する工程または本発明の薬学的組成物を使用する工程を含む、甲状腺癌（具体的には、ＡＴＣ）を処置する方法を提供する。１つの態様においては、本発明は、甲状腺癌細胞（例えば、ＡＴＣ細胞）を破壊するかもしくはその増殖を阻害するか、またはＥｐ−ＩＣＤもしくはβ−カテニンの活性を遮断するために治療的に使用することができる、Ｅｐ−ＩＣＤまたはβ−カテニンに特異的なアンタゴニスト（例えば、抗体）を提供する。加えて、Ｅｐ−ＩＣＤまたはβ−カテニンは、Ｅｐ−ＩＣＤまたはβ−カテニンを発現する腫瘍の免疫介在性崩壊あるいは増殖阻害を促進するための様々な免疫治療方法において使用され得る。
特定の実施形態では、例えば以下が提供される：
（項目１）
被験体において甲状腺癌と関係がある甲状腺癌マーカーを検出するための方法であって：（ａ）患者から試料を得る工程；
（ｂ）１つまたはそれより多い甲状腺癌マーカーを前記試料中で検出または同定する工程；および
（ｃ）検出した量を標準について検出した量と比較する工程
を含むか、あるいは本質的に前記工程からなり、ここでは、前記甲状腺癌マーカーがＥｐ−ＩＣＤおよび／またはβ−カテニンである、方法。
（項目２）
甲状腺癌を診断するための方法であって：
（ａ）被験体由来の試料から抽出される甲状腺癌マーカーのレベル；と
（ｂ）対照試料中の甲状腺癌マーカーのレベル
とを比較する工程を含み、ここでは、前記対照中の対応するレベルと比較した、甲状腺癌マーカーのレベルの有意な差が甲状腺癌の指標となり、前記甲状腺癌マーカーが、Ｅｐ−ＩＣＤ、β−カテニン、および状況に応じてＥｐＥｘである、方法。
（項目３）
前記被験体が、甲状腺癌のリスクがあるか、またはスクリーニングが必要な被験体である、項目１または２に記載の方法。
（項目４）
甲状腺試料を特性決定または分類するための方法であって、対照と比較して甲状腺癌マーカーの発現の差を検出する工程を含み、ここでは、前記甲状腺癌マーカーが、Ｅｐ−ＩＣＤ、β−カテニン、および状況に応じてＥｐＥｘである、方法。
（項目５）
被験体において甲状腺癌の特定の病期を診断する方法であって、前記被験体から得た試料中の甲状腺癌マーカーの状態を決定する工程を含み、ここでは、前記マーカーの異常な状態が特定の病期の存在を示し、前記甲状腺癌マーカーが、Ｅｐ−ＩＣＤまたはβ−カテニンである、方法。
（項目６）
甲状腺癌についての処置の候補である被験体を同定するための診断方法であって、前記被験体から得た試料中の甲状腺癌マーカーの状態を決定する工程を含み、ここでは、前記試料中の前記甲状腺癌マーカーの異常な状態が、処置が望ましいかまたは必要であることを示し、前記甲状腺癌マーカーが、Ｅｐ−ＩＣＤ、β−カテニン、および状況に応じてＥｐＥｘである、方法。
（項目７）
前記異常な状態が、上昇した状態であってよく、低い状態であってよく、また陰性の状態であってもよい、項目５または６に記載の方法。
（項目８）
被験体において甲状腺癌の浸潤性または転移能を診断するための方法であって：
（ａ）前記被験体から試料を得る工程；
（ｂ）甲状腺癌マーカーを前記試料中で検出する工程；および
（ｃ）検出した量を標準について検出した量と比較する工程
を含み、ここでは、前記甲状腺癌マーカーが、Ｅｐ−ＩＣＤおよび／またはβ−カテニンである、方法。
（項目９）
前記標準または対照が、より低い悪性度の甲状腺癌を持つ被験体において検出されたレベルまたは量を含む、項目１または８に記載の方法。
（項目１０）
被験体において未分化甲状腺癌（ＡＴＣ）を診断するための方法であって：
（ａ）被験体由来の試料を、標的である甲状腺癌マーカーのレベルを測定することができる試薬と接触させる工程であって、ここでは、前記甲状腺癌マーカーが、Ｅｐ−ＩＣＤ、β−カテニン、および状況に応じてＥｐＥｘである、工程；および
（ｂ）ＡＴＣを有していない被験体から、もしくは異なる時間に前記被験体から採取した類似する試料から得た対照レベルを上回る、前記被験体由来の前記試料中での、Ｅｐ−ＩＣＤ、およびβ−カテニンの少なくとも１つのレベルの増大、ならびに、状況に応じて、ＥｐＥｘの減少に基づいて、前記被験体においてＡＴＣの診断を提供する工程
を含む、方法。
（項目１１）
被験体において甲状腺癌の進行をモニタリングするための方法であって：（ａ）第１の時点での患者由来の試料中で甲状腺癌マーカーを検出する工程；（ｂ）次の時点で工程（ａ）を繰り返し行う工程；および（ｃ）工程（ａ）で検出したレベルと工程（ｂ）で検出したレベルを比較し、それにより、前記癌の進行をモニタリングする工程を含み、ここでは、前記甲状腺癌マーカーが、Ｅｐ−ＩＣＤまたはβ−カテニンである、方法。
（項目１２）
前記甲状腺癌マーカーが以下の工程により検出されるポリペプチドである、項目１〜１１のいずれか１項に記載の方法：
（ａ）前記試料を、前記ポリペプチドまたはその一部に特異的に結合する結合剤と接触させる工程；および
（ｂ）予め決定した標準と比較して、前記結合剤に結合するポリペプチドの量を前記試料中で検出する工程。
（項目１３）
被験体において浸潤性甲状腺癌または転移能を持つ甲状腺癌の存在を検出あるいは診断するための方法であって：
（ａ）甲状腺癌マーカーに特異的に結合する結合剤を提供する工程；
（ｂ）前記結合剤と前記甲状腺癌マーカーとを含有する複合体の形成を可能にする条件下で、前記結合剤を前記被験体由来の試料と接触させる工程；
（ｃ）前記複合体の存在または量を決定する工程；および
（ｄ）前記被験体における浸潤性甲状腺癌または転移能を持つ甲状腺癌の存在を決定するために、前記量を標準と比較する工程
を含み、ここでは、前記甲状腺癌マーカーが、Ｅｐ−ＩＣＤまたはβ−カテニンである、方法。
（項目１４）
前記結合剤が抗体である、項目１２または１３に記載の方法。
（項目１５）
前記甲状腺癌マーカーがポリヌクレオチドである、項目１〜１１のいずれか１項に記載の方法。
（項目１６）
前記ポリヌクレオチドがｍＲＮＡまたはその断片である、項目１５に記載の方法。
（項目１７）
前記ポリヌクレオチドが以下の工程により検出される、項目１５に記載の方法：
（ａ）前記試料を、前記ポリヌクレオチドにハイブリダイズするオリゴヌクレオチドと接触させる工程；および
（ｂ）予め決定した標準値またはカットオフ値と比較して、前記ポリヌクレオチドにハイブリダイズする核酸のレベルを前記試料中で検出し、それから、前記被験体における甲状腺癌の存在または不在を決定する工程。
（項目１８）
前記ｍＲＮＡが増幅反応を使用して検出される、項目１６に記載の方法。
（項目１９）
前記増幅反応が、前記ポリヌクレオチドまたはそのようなポリヌクレオチドの相補鎖にハイブリダイズするオリゴヌクレオチドプライマーを利用するポリメラーゼ連鎖反応である、項目１８に記載の方法。
（項目２０）
前記ポリヌクレオチドがＲＴ−ＰＣＲを使用して検出される、項目１９に記載の方法。
（項目２１）
前記ｍＲＮＡが、前記ポリヌクレオチドまたはそのようなポリヌクレオチドの相補鎖にハイブリダイズするオリゴヌクレオチドプローブを利用するハイブリダイゼーション技術を使用して検出される、項目１６に記載の方法。
（項目２２）
被験体において甲状腺癌を阻害することについて試験薬剤の潜在的有効性を評価するための方法であって：（ａ）被験体から得た、前記試験薬剤に曝した第１の試料中の１つまたはそれより多い甲状腺癌マーカーのレベルであって、ここでは、前記甲状腺癌マーカーが、Ｅｐ−ＩＣＤおよび／またはβ−カテニンである、レベルと、（ｂ）前記被験体から得た第２の試料中の前記甲状腺癌マーカーのレベルであって、ここでは、前記試料は前記試験薬剤に曝していない、レベルとを比較する工程を含み、ここでは、前記第２の試料と比較した前記第１の試料中での前記甲状腺癌マーカーの発現レベルの有意な差が、前記試験薬剤が、前記被験体において甲状腺癌を阻害することについて有効である可能性があることの指標となる、方法。
（項目２３）
被験体において甲状腺癌を阻害するための薬剤を選択する方法であって：（ａ）前記被験体から癌細胞を含有している試料を得る工程；（ｂ）前記試料のアリコートを複数の試験薬剤の存在下に別々に曝す工程；（ｃ）前記アリコートのそれぞれにおける１つまたはそれより多い甲状腺癌マーカーのレベルを比較する工程；および（ｄ）他の試験薬剤と比較して、前記試験薬剤のうちの１つを含有している前記アリコート中で前記甲状腺癌マーカーのレベルを変化させる前記試験薬剤のうちの１つを選択する工程を含み、ここでは、前記甲状腺癌マーカーが、Ｅｐ−ＩＣＤおよび／またはβ−カテニンである、方法。
（項目２４）
他の試験薬剤と比較して、前記試験薬剤のうちの少なくとも１つを含有している前記アリコート中で前記甲状腺癌マーカーのレベルを変化させる、前記試験薬剤のうちの少なくとも１つを、前記被験体に対して投与する工程をさらに含む、項目２３に記載の方法。
（項目２５）
試験化合物の甲状腺癌細胞の発癌の可能性を評価する方法であって：（ａ）前記試験化合物の存在下および不在下で、甲状腺癌細胞の別々のアリコートを維持する工程；ならびに、（ｂ）前記アリコートのそれぞれにおける１つまたはそれより多い甲状腺癌マーカーの発現を比較する工程を含み、ここでは、前記試験化合物の不在下で維持した前記アリコートと比較した、前記試験化合物の存在下で維持した前記アリコート中の甲状腺癌マーカーのレベルの有意な差が、前記試験化合物が、甲状腺癌細胞の発癌の可能性を持つことの指標となり、前記甲状腺癌マーカーが、Ｅｐ−ＩＣＤおよび／またはβ−カテニンである、方法。
（項目２６）
前記試料が、組織、抽出物、細胞培養物、細胞溶解物、洗浄液（ｌａｖａｇｅ  ｆｌｕｉｄ）、または生理学的流体から得られる、項目１〜２１のいずれか１項に記載の方法。
（項目２７）
前記試料が腫瘍組織から得られる、項目２６に記載の方法。
（項目２８）
甲状腺癌マーカーに結合する結合剤、または甲状腺癌マーカーをコードするポリヌクレオチドにハイブリダイズするかもしくは甲状腺癌マーカーをコードするポリヌクレオチドを増幅する作用物質を含有している、浸潤性甲状腺癌あるいは転移能を持つ甲状腺癌を検出ならびに／あるいは診断するためのキットであって、ここでは、前記甲状腺癌マーカーが、Ｅｐ−ＩＣＤまたはβ−カテニンである、キット。
（項目２９）
甲状腺癌マーカーに結合する抗体、または甲状腺癌マーカーをコードするポリヌクレオチドにハイブリダイズするかもしくは甲状腺癌マーカーをコードするポリヌクレオチドを増幅するポリヌクレオチドの、甲状腺癌の浸潤性もしくは転移能を検出および／あるいは診断するための使用であって、ここでは、前記甲状腺癌マーカーが、Ｅｐ−ＩＣＤまたはβ−カテニンである、使用。
（項目３０）
甲状腺癌の浸潤性もしくは転移能を検出および／または診断することにおける使用のための、甲状腺癌マーカーに結合する抗体または甲状腺癌マーカーをコードするポリヌクレオチドにハイブリダイズするかもしくは甲状腺癌マーカーをコードするポリヌクレオチドを増幅するポリヌクレオチドを含有している組成物であって、ここでは、前記甲状腺癌マーカーが、Ｅｐ−ＩＣＤまたはβ−カテニンである、組成物。
（項目３１）
被験体において甲状腺癌を処置する方法であって、甲状腺癌の処置を必要とする被験体に対して、Ｅｐ−ＣＡＭ、Ｅｐ−ＩＣＤ、またはβ−カテニンに特異的な抗体を送達する工程を含む、方法。